(57)【要約】【課題】引出形電気機器の収容室に作業者がいる場合は、シャッタによる閉塞状態をロックできるようにする。【解決手段】収容室２に出し入れされる引出形遮断器１０と、配電室５に配置される充電部６と、充電部６と引出形遮断器１０との間を開閉するシャッタ機構２０とを備えた電気盤において、引出形遮断器１０が収容室２に対して出し入れされるスタンバイ状態では、シャッタ２２に対するロックが解除できるように構成されるとともに、引出形遮断器１０が収容室２から引き出されて、収容室２に入った作業者の荷重を受けるロック状態では、閉塞位置Ａに位置するシャッタ２２をロックできるように構成されるシャッタロック機構３０を備える。【選択図】図１
2013198363.tif 000002
【特許請求の範囲】
【請求項１】
電気盤内部に立設される隔壁によって区画される収容室および配電室と、収容室に出し入れされる引出形電気機器と、配電室に配置され、引出形電気機器に電気的に接続される充電部と、引出形電気機器が充電部に接続される際に、引出形電気機器と充電部との間を開放する開放位置、および、引出形電気機器が充電部から引き外される際に、引出形電気機器と充電部との間を閉塞する閉塞位置を、シャッタが往復移動できるように構成されるシャッタ機構とを備えた電気盤において、
引出形電気機器が収容室に対して出し入れされるスタンバイ状態では、シャッタに対するロックが解除できるように構成されるとともに、
引出形電気機器が収容室から引き出されて、収容室に入った作業者の荷重を受けるロック状態では、閉塞位置に位置するシャッタをロックできるように構成されるシャッタロック機構を備えたことを特徴とする電気盤。
【請求項２】
前記シャッタは、側端部から外方に突出するピンを有し、
前記シャッタロック機構は、
収容室の床面と引出形電気機器の底部との間に回動自在に配置される、収容室の床面と同等の面積を有する受板と、
収容室内において回動自在に支持されるとともに、受板に連結される作動レバーと、
作動レバーに連結されるとともに、シャッタの移動距離に等しい長径を有する長孔が形成され、該長孔にシャッタのピンが遊挿されるロックレバーとを備え、
スタンバイ状態では、シャッタの移動方向と長孔の長径の方向とが一致するとともに、閉塞位置に位置するシャッタのピンが、シャッタの開方向の移動を許可する長孔の始端部に位置し、
ロック状態では、受板、作動レバーおよびロックレバーが作業者の荷重を受けて回動するにつれて、長孔の始端部に位置するシャッタのピンに対して、長孔の位置が、シャッタの開方向の移動を阻止する終端部側へ変位し、長孔の終端部がシャッタのピンに係止することを特徴とする請求項１に記載の電気盤。
【請求項３】
前記受板は、収容室の出入口側に受板の回動支点が設定されるとともに、作用点がシャッタ側に設定され、
前記作動レバーは、収容室内に設定される作動レバーの回動支点と、連結される前記受板の作用点とを結ぶ距離に比して、前記収容室内に設定される作動レバーの回動支点と、ロックレバーに対する作用点とを結ぶ距離が大きく設定されていることを特徴とする請求項２に記載の電気盤。
【請求項４】
前記作動レバーまたはロックレバーのいずれか一方に、シャッタロック機構をロック状態からスタンバイ状態に復帰させる復帰手段が設けられることを特徴とする請求項２または３に記載の電気盤。
【発明の詳細な説明】
【技術分野】
【０００１】
本発明は、例えば、引出形電気機器を充電部から引き外して、内部の保守・点検を行う場合において、固定側接触子と引出形電気機器との間を閉塞しているシャッタに対して、作業者が開放操作してもシャッタの閉塞状態を維持するシャッタロック機構を備えた電気盤に関する。
【背景技術】
【０００２】
従来のこの種の電気盤（配電盤またはスイッチギヤ）は、例えば、収容室と、配電室と、引出形電気機器と、シャッタ機構とを備えているものが知られている（特許文献１参照）。
【０００３】
収容室は、電気盤内部に配置された隔壁の前側に区画されている。また、収容室には、引出形電気機器が出し入れされる出入口が形成されている。
【０００４】
配電室は、前記隔壁の後側に区画され、一次側および二次側の引出形電気機器の固定側接触子が充電部として配置されている。そして、隔壁には、後述するシャッタの接続口を閉塞するための閉塞部が形成されている。
【０００５】
引出形電気機器は、その背面に、固定側接触子に接離する可動側接触子が上下に３つずつ配置されている。また、引出形電気機器は、底部の四隅に車輪が配設されている。
【０００６】
シャッタ機構は、駆動板と、シャッタとを備えている。該駆動板は、平面視矩形状を呈しており、収容室の床面と同等の面積を有している。また、駆動板は、収容室の出入口側（手前側）の前側端部が回動自在に支持されるとともに、シャッタ側（奥側）の側端部が弾性部材によって上向きに弾性付勢されている。したがって、駆動板は、手前から奥側に向かうにしたがって大きく傾斜するように配置されている。また、駆動板の両側に、一対のレールが配置されている。そして、引出形電気機器の車輪がレールに沿って移動することで、引出形電気機器の荷重を駆動板が受けるようになり、引出形電気機器が収容室を自在に移動する。
【０００７】
シャッタは、駆動板の後側端部に立設され、電気盤に配置された固定側接触子と、引出形電気機器の可動側接触子とを電気的に接続する接続口が横一列に３つ形成され、３つの接続口が一次側および二次側に応じて上下に形成されている。
【０００８】
そして、引出形電気機器が電気盤の収容室から外部に引き出された状態にあっては、駆動板は、その後側端部が弾性部材によって押し上げられて、隔壁の閉塞部によって、シャッタの接続口が閉塞されて、固定側接触子に対する接触が防止されている。
【０００９】
一方、外部に引き出された引出形電気機器を収容室に収容する場合、引出形電気機器を駆動板の手前から奥側に向かって移動させる。この際、引出形電気機器が奥側に移動するにしたがって、引出形電気機器の荷重が駆動板にかかるようになり、高位置にある駆動板の奥側の側端部は弾性部材の弾性力に抗して押し下げられ、駆動板の全体が水平状態になって、引出形電気機器の移動が円滑に行われる。そして、引出形電気機器の荷重を受けて駆動板が押し下げられる際、シャッタも同時に下降するので、隔壁の閉塞部の下方に接続口が位置するようになり、固定側接触子に接続するための接続口が開放され、引出形電気機器の可動側接触子が固定側接触子に対して接続される。
【００１０】
また、引出形電気機器が引出形遮断器の場合は、「接続位置」、「試験位置」、「遮断器引出し位置（遮断器引抜き位置）」に引き出されるのが一般的である。「接続位置」では、ビルや工場などの施設に電力を供給する場合において、配電室に設けられた固定側接触子（充電部）および制御回路端子と、引出形遮断器の可動側接触子および制御回路端子とが接続される。「試験位置」では、配電室に設けられた固定側接触子から引出形遮断器の可動側接触子が引き外されて、給電できない状態にある。一方、電気盤および引出形遮断器の互いの制御回路端子が接続された状態にあり、引出形遮断器の電気操作によって、制御回路の点検が可能である。「遮断器引出し位置（遮断器引抜き位置）」では、配電室に設けられた固定側接触子および制御回路端子と、引出形遮断器の可動側接触子および制御回路端子とが引き外されて、引出形遮断器がスイッチギヤから出ている状態にあり、引出形遮断器が電気的に切り離されて、電気盤の収容室および配電室の点検が行われる。
【００１１】
また、他の従来の電気盤として、例えば、引出形電気機器が収容室から引き出された場合、シャッタが自重で下降し、下降したシャッタによって接続口が閉塞される一方、引出形電気機器が収容室に収容される場合、シャッタが引出形電気機器の移動に伴って上昇し、接続口が開放されるものが知られている（特許文献２参照）。そして、固定側接触子（充電部）の点検や掃除の作業をする場合、自重で下降しているシャッタを手動で押し上げて、上昇位置にあるシャッタに対して、作業者がピンを差し込んで固定し、接続口の開放状態を維持して、所要の作業をしている。
【先行技術文献】
【特許文献】
【００１２】
【特許文献１】特開２００９−１１８６００号公報
【特許文献２】実開昭６１−１１３５１２号公報
【発明の概要】
【発明が解決しようとする課題】
【００１３】
前記特許文献１の電気盤の場合、引出形電気機器が引き出された状態にあっては、シャッタが機構的に閉塞位置にロックされる。したがって、固定側接触子に対して点検や掃除する場合、作業者が収容室の内部に入ることになり、作業者の荷重が受板にかかるようになる。このため、作業者が所要の作業をするにあたっては、接続口が開放されているので、作業者が固定側接触子に対して接触することが考えられる。
【００１４】
前記特許文献２の電気盤の場合、下降しているシャッタを人為的に押し上げられる構成になっているため、作業者の所有する工具などが意図せずにシャッタに当たることによって、シャッタが誤って上昇されて、接続口が開放される場合があり、前記と同様に、作業者が固定側接触子に対して接触することが考えられる。
【００１５】
そこで、本発明は、引出形電気機器の収容室に作業者がいる場合は、シャッタによる閉塞状態をロックすることができる電気盤を提供することを課題とする。
【課題を解決するための手段】
【００１６】
本発明に係る電気盤は、電気盤内部に立設される隔壁によって区画される収容室および配電室と、収容室に出し入れされる引出形電気機器と、配電室に配置され、引出形電気機器に電気的に接続される充電部と、引出形電気機器が充電部に接続される際に、引出形電気機器と充電部との間を開放する開放位置、および、引出形電気機器が充電部から引き外される際に、引出形電気機器と充電部との間を閉塞する閉塞位置を、シャッタが往復移動できるように構成されるシャッタ機構とを備えた電気盤において、引出形電気機器が収容室に対して出し入れされるスタンバイ状態では、シャッタに対するロックが解除できるように構成されるとともに、引出形電気機器が収容室から引き出されて、収容室に入った作業者の荷重を受けるロック状態では、閉塞位置に位置するシャッタをロックできるように構成されるシャッタロック機構を備えたことを特徴とする。
【００１７】
この場合、引出形電気機器が収容室に対して出し入れされるスタンバイ状態では、シャッタに対するロックが解除されるので、シャッタが閉塞位置と開放位置とを往復移動できるように構成される。すなわち、作業者が収容室に入らない状態であれば、シャッタ機構によって、引出形電気機器と充電部との接続および非接続が円滑に行われる。収容室に入った作業者の荷重を受けるロック状態では、閉塞位置に位置するシャッタをロックできるので、収容室で作業する作業者の安全性を確保することができる。
【００１８】
また、本発明によれば、前記シャッタは、側端部から外方に突出するピンを有し、前記シャッタロック機構は、収容室の床面と引出形電気機器の底部との間に回動自在に配置される、収容室の床面と同等の面積を有する受板と、収容室内において回動自在に支持されるとともに、受板に連結される作動レバーと、作動レバーに連結されるとともに、シャッタのピンが遊挿される、シャッタの移動距離に等しい長径を有する長孔が形成されるロックレバーとを備え、スタンバイ状態では、シャッタの移動方向と長孔の長径の方向とが一致するとともに、閉塞位置に位置するシャッタのピンが、シャッタの開方向の移動を許可する長孔の始端に位置し、ロック状態では、受板、作動レバーおよびロックレバーが作業者の荷重を受けて回動するにつれて、長孔の始端部に位置するシャッタのピンに対して、長孔の位置が、シャッタの開方向の移動を阻止する終端部側へ変位して、長孔の終端部がシャッタのピンに係止するような構成を採用することもできる。
【００１９】
この場合、スタンバイ状態では、シャッタの移動方向と長孔の長径の方向とが一致するとともに、閉塞位置に位置するシャッタのピンが、シャッタの開方向の移動を許可する長孔の始端部に位置するので、シャッタを閉塞位置から開放位置に移動させることができる。したがって、収容室に引出形電気機器を出し入れすることができる。一方、ロック状態では、受板、作動レバーおよびロックレバーが作業者の荷重を受けて回動するにつれて、長孔の始端部に位置するシャッタのピンに対して、長孔の位置が、シャッタの開方向の移動を阻止する終端部側へ変位して、長孔の終端部がシャッタのピンに係止するので、閉塞位置に位置するシャッタのピンをロックすることができ、作業者が収容室にいる間は、シャッタを閉塞位置から開放位置に移動させることができない。したがって、作業者の安全性を確保できる。
【００２０】
また、本発明によれば、前記受板は、収容室の出入口側に受板の回動支点が設定されるとともに、作用点がシャッタ側に設定され、前記作動レバーは、収容室内に設定される作動レバーの回動支点と、連結される前記受板の作用点とを結ぶ距離に比して、前記収容室内に設定される作動レバーの回動支点と、ロックレバーに対する作用点とを結ぶ距離が大きく設定されるような構成を採用することもできる。
【００２１】
この場合、受板においては、その回動範囲が、収容室の床面と引出形電気機器の底部との間の空間が狭くて制限を受けるため、受板の回動支点から作用点の距離を大きく設定することで、受板の回動ができる限り大きくなるようにしている。一方、作動レバーにおいては、作動レバーの回動支点と、連結される受板の作用点とを結ぶ距離に比して、作動レバーの回動支点とロックレバーに対する作用点とを結ぶ距離を大きく設定することで、受板の小さい回動を大きく作用するようにしている。そうすることによって、シャッタのピンが長孔の始端部に位置する状態において、シャッタのピンが、長孔の終端部まで移動できるようになる。すなわち、閉塞位置に位置するシャッタを開放位置に移動することができる。一方、シャッタのピンが長孔の始端部に位置する状態において、長孔の位置が、始端部から終端部に変位するようになる。すなわち、変位した長孔の終端部によってシャッタのピンをロックすることができる。
【００２２】
また、本発明によれば、前記作動レバーまたはロックレバーのいずれか一方に、シャッタロック機構をロック状態からスタンバイ状態に復帰させる復帰手段が設けられるような構成を採用することもできる。
【００２３】
かかる構成によれば、作業者が収容室から退室した後、シャッタロック機構をロック状態からスタンバイ状態に確実に戻すことができる。
【発明の効果】
【００２４】
本発明によれば、引出形電気機器の収容室に作業者がいる場合は、固定側接触子と引出形電気機器との間がシャッタによって閉塞された状態でロックされ得るので、作業者がシャッタを開放することを確実に防止でき、安全性の高い電気盤を提供することができる。
【図面の簡単な説明】
【００２５】
【図１】本発明に係る第１実施形態の電気盤を示す概略側面図。
【図２】図１の受板を示す概略平面図。
【図３】図１に示す引出形電気機器と充電部との間がシャッタにより開閉される状態を示す概略正面図であり、（ａ）は、シャッタが、引出形電気機器と充電部との間を開放した状態を示す図、（ｂ）は、シャッタが引出形電気機器と充電部との間を閉塞した状態を示す図。
【図４】電気盤の収容室から引出形電気機器が引き出されて、閉塞位置に位置するシャッタがロック解除されている状態を示す概略側面図。
【図５】閉塞位置に位置するシャッタがロックされている状態を示す概略側面図。
【図６】本発明に係る第２実施形態の電気盤を示す概略側面図。
【図７】電気盤の収容室から引出形電気機器が引き出されて、閉塞位置に位置するシャッタがロック解除されている状態を示す概略側面図。
【図８】閉塞位置に位置するシャッタがロック解除されている状態を示す概略側面図。
【発明を実施するための形態】
【００２６】
本発明に係る電気盤の実施形態について図１〜図８を参照しながら説明する。なお、本実施形態においては、引出形電気機器として引出形遮断器が収容された電気盤（スイッチギヤ）を例にとって説明する。なお、図１、図２、図４〜図８において、正面から見て、右側を後側とし、左側を前側とする。また、図１、図４〜図８は、枠体（ガイド体）２４を省略している。
【００２７】
（第１実施形態）
第１実施形態に係るスイッチギヤ１は、図１および図３（ａ），（ｂ）に示すように、収容室２と、配電室５と、引出形遮断器１０と、シャッタ機構２０と、シャッタロック機構３０とを備えている。
【００２８】
収容室２は、図１に示すように、スイッチギヤ１内部に立設された隔壁１ａの前側に区画されている。また、図２に示すように、収容室２の床面２ａに一対のレール３，３が前後方向に配置されている。また、収容室２は、引出形遮断器１０が出し入れされる出入口２ｂが形成されている。
【００２９】
配電室５は、図１に示すように、前記隔壁１ａの後側に区画され、一次側および二次側の引出形遮断器１０の固定側接触子（充電部）６，…の接続部が収容室２側に臨出するように配置されている。そして、引出形遮断器１０と、固定側接触子６，…の接続部との間を開閉するシャッタ機構２０が設けられている。
【００３０】
引出形遮断器１０は、図１および図３（ａ），（ｂ）に示すように、その背面に、固定側接触子６，…に接離する可動側接触子１１，…が上下に３つずつ配置されている。また、引出形遮断器１０は、底部の四隅に車輪１２，…が配設されている。そして、これらの車輪１２，…が、レール３，３に沿って通過することで、引出形遮断器１０が収容室２を前後方向に移動する。
【００３１】
シャッタ機構２０は、図１に示すように、押圧部材２１と、シャッタ２２と、昇降アーム２３とを備えている。
【００３２】
押圧部材２１は、図１に示すように、引出形遮断器１０の台車１３の側面のシャッタ２２側に回転自在に支持されたローラからなる。そして、押圧部材２１は、昇降アーム２３に対して摺動自在であり、昇降アーム２３の先端部を押圧することで、シャッタ２２を開放位置に位置させる一方、図４に示すように、昇降アーム２３の先端部から押圧部材２１が離脱することで、開放位置Ｂのシャッタ２２が自重で下降して閉塞位置Ａに位置する。
【００３３】
シャッタ２２は、図１および図３（ａ），（ｂ）に示すように、横長の矩形状の平板からなり、左右の支持部材２２ａ，２２ｂに所定の間隔をおいて上下に配置されている。そして、シャッタ２２および支持部材２２ａ，２２ｂは、固定された枠体（ガイド体）２４に対して上下動自在に設けられている。シャッタ２２および支持部材２２ａ，２２ｂ、枠体２４でシャッタユニット２２０が構成されている。また、シャッタ２２は、固定側接触子６，…の接続部の周囲を閉塞できる面積を有している。また、シャッタ２２は、図３および図４に示すように、閉塞位置Ａと開放位置Ｂとを往復移動するように構成されている。閉塞位置Ａとは、引出形遮断器１０の可動側接触子１１，…が、固定側接触子（充電部）６，…から引き外されて、シャッタ２２が自重によって下降し、固定側接触子６，…と引出形電気機器との間を閉塞する位置である。開放位置Ｂとは、引出形遮断器１０の入り動作、すなわち、引出形遮断器１０の可動側接触子１１，…が固定側接触子（充電部）６，…に接続される際の移動動作にシャッタ２２が連動して、固定側接触子６，…と引出形遮断器１０との間が開放される位置である。また、枠体２４は、左側枠２４ａおよび右側枠２４ｂの外面から外方に突出するピン２５，２５が取り付けられている。また、シャッタ２２には、昇降アーム２３と連結するための連結部材（図１の鎖線に示す部材）２６がシャッタ２２の下端部に取り付けられている。
【００３４】
昇降アーム２３は、図１に示すように、基端部２３ａと、中途部２３ｂと、先端部２３ｃとを備えている。基端部２３ａおよび先端部２３ｃは、いずれも直線状に形成され、基端部２３ａの長さが先端部２３ｃの長さよりも短く設定されている。そして、基端部２３ａおよび先端部２３ｃは、基端部２３ａが上側に位置し、先端部２３ｃが下側に位置し、かつ、平行する位置関係になっている。また、中途部２３ｂは、上側の基端部２３ａと下側の先端部２３ｃとの間にあって、下降傾斜部を有している。先端部２３ｃは、シャッタ２２に連結される図１の鎖線に示す連結部材２６のピン２６ａが遊挿される長孔２３ｄが形成されている。そして、引出形遮断器１０の押圧部材（ローラ）２１が、昇降アーム２３の先端部２３ｃを押圧して水平に位置することで、シャッタ２２が開放位置に位置する。また、引出形遮断器１０の押圧部材（ローラ）２１が、昇降アーム２３の先端部２３ｃから離脱することで、昇降アーム２３が下側に回動し、開放位置Ｂのシャッタ２２が自重で下降して閉塞位置Ａに位置する。
【００３５】
シャッタロック機構３０は、図１に示すように、受板３１と、作動レバー３５と、ロックレバー４０と、復帰手段５０とを備えている。
【００３６】
受板３１は、図１および図２に示すように、収容室２の床面２ａと同等の面積を有している。また、受板３１は、収容室２の出入口２ｂ側の前側端部３１ａが、収容室２の床面２ａの前部に配置された軸受け部７０によって回動自在に支持されている。そして、受板３１は、受板３１の前側端部３１ａを回動支点Ｐ０として、収容室２の床面２ａと引出形遮断器１０の底部との間に回動自在に配置されている。また、受板３１は、一対のレール３，３を引出形遮断器１０の車輪１２，…が移動できるように、かつ、受板３１自体の回動を許容できるように、両側部に一対の逃げ溝３２，３２が形成されている。また、受板３１は、後側端部（隔壁１ａ側の側端部）３１ｂが押し上げられて略水平位置に保持されている。すなわち、受板３１は、通常時、作業者の荷重を受けるスタンバイ位置にある。
【００３７】
作動レバー３５は、図１に示すように、略Ｔ字形状を呈している。横長の連結部３５ａと、縦長の作用部３５ｂとを備えている。連結部３５ａは、一側部（回動支点Ｐ１）が、隔壁の下部に配置された軸受け部７０によって回動自在に支持されている。他側部が、受板３１の後側端部（隔壁１ａ側の側端部）３１ｂに連結されて、作業者の荷重が受板３１を介して伝達される作用点Ｐ２となっている。作用部３５ｂは、連結部３５ａの略中央から外方に向かって延出され、先端部がロックレバー４０との連結部（作用点Ｐ３）になっている。そして、作動レバー３５の連結部に対する作用部３５ｂの長さは２倍以上である。すなわち、収容室２内に設定される回動支点（連結部３５ａの一側部）Ｐ１と、連結される前記受板３１の作用点（後側端部（隔壁１ａ側の側端部））Ｐ２とを結ぶ距離に比して、前記収容室２内に設定される回動支点Ｐ１と、ロックレバー４０に対する作用点Ｐ３とを結ぶ距離が大きく設定されている。
【００３８】
ここで、受板３１の回動支点Ｐ０から作用点Ｐ２の距離を大きく設定する一方、作動レバー３５の回動支点Ｐ１と、連結される受板３１の作用点Ｐ２とを結ぶ距離に比して、作動レバー３５の回動支点Ｐ１とロックレバー４０に対する作用点Ｐ３とを結ぶ距離を大きく設定する理由について説明する。シャッタ２２が閉塞位置Ａに位置する際、シャッタ２２のピン２５は、長孔４０ａの始端部Ｓ１に位置している。この場合において、シャッタ２２に対する必須要件は２つある。第１の必須要件は、閉塞位置Ａに位置するシャッタ２２を開放位置Ｂに移動できるように、長孔４０ａの長径の方向と、シャッタ２２の移動方向とを一致させるとともに、長孔４０ａの始端部Ｓ１に位置するシャッタ２２のピン２５を長孔４０ａの終端部Ｓ２に移動させることにある。第２の必須要件は、閉塞位置Ａに位置するシャッタ２２をロックできるように、長孔４０ａの始端部Ｓ１に位置するシャッタ２２のピン２５をロックすべく、長孔４０ａの長径の方向と、シャッタ２２の移動方向とが一致した状態のロックレバー４０を回動させて、長孔４０ａの位置を始端部Ｓ１から終端部Ｓ２に変位させることにある。したがって、これらの２つの必須要件を満たすには、ロックレバー４０を大きく動作させる必要がある。つまり、受板３１においては、その回動範囲が、収容室２の床面２ａと引出形遮断器１０の底部との間の空間が狭くて制限を受けるため、受板３１の回動支点Ｐ０から作用点Ｐ２の距離を大きく設定する一方、作動レバー３５においては、受板３１の小さい回動を大きく作用させるために、作動レバー３５の回動支点Ｐ１と、連結される受板３１の作用点Ｐ２とを結ぶ距離に比して、作動レバー３５の回動支点Ｐ１とロックレバー４０に対する作用点Ｐ３とを結ぶ距離を大きく設定する必要がある。
【００３９】
ロックレバー４０は、図１に示すように、作動レバー３５に連結されるとともに、シャッタ２２の移動距離に等しい長径を有する長孔４０ａが軸方向に沿って形成され、該長孔４０ａにシャッタ２２のピン２５が遊挿されている。
【００４０】
復帰手段５０は、図１に示すように、引っ張りバネからなる弾性部材で構成されている。該弾性部材は、隔壁１ａの下部に一端部が接続されるとともに、作動レバー３５の先端部に他端部が接続されている。そして、弾性部材５０の付勢力によって、受板３１が略水平位置に位置するように、かつ、作動レバー３５およびロックレバー４０が直立状態になるように構成されている。すなわち、収容室２に入った作業者の荷重を受けて、閉塞位置Ａに位置するシャッタ２２のピン２５に、ロックレバー４０の長孔４０ａの終端部Ｓ２が係止したロック状態から、作業者が収容室２から退室（作業者の荷重がかかっていない）した後、元のスタンバイ状態（収容室２に入った作業者の荷重が受けられる状態）に復帰するように構成されている。
【００４１】
シャッタロック機構３０は、図４に示すように、引出形遮断器１０が収容室２に対して出し入れされるスタンバイ状態では、シャッタ２２の移動方向と長孔４０ａの長径の方向とが一致するとともに、閉塞位置Ａに位置するシャッタ２２のピン２５が、シャッタ２２の開放方向の移動を許可する長孔４０ａの始端部Ｓ１に位置し、シャッタ２２に対するロックが解除されている。また、図５に示すように、収容室２に入った作業者の荷重を受けるロック状態では、作動レバー３５およびロックレバー４０が作業者の荷重を受けて回動するにつれて、長孔４０ａの始端部Ｓ１に位置するシャッタ２２のピン２５に対して、長孔４０ａの位置が、シャッタ２２の開放方向の移動を阻止する終端部Ｓ２側へ変位し、長孔４０の終端部Ｓ２がシャッタ２２のピン２５に係止して、閉塞位置Ｂに位置するシャッタ２２がロックされる。
【００４２】
つぎに使用態様について説明する。まず、図１および図３（ａ）に示すように、引出形遮断器１０の可動側接触子１１，…がスイッチギヤ１の固定側接触子６，…に接続されている場合は、シャッタ２２は、引出形遮断器１０の押圧部材２１によって押し上げられて上側の開放位置Ｂに位置して、固定側接触子６，…と引出形遮断器１０との間が開放されている。
【００４３】
この際、受板３１には、何ら荷重はかかっておらず、弾性部材（復帰手段）５０によって弾性付勢されて水平位置（スタンバイ位置）に保持されている。そして、作動レバー３５およびロックレバー４０が直立状態にあり、長孔４０ａのロック位置としての終端部Ｓ２にシャッタ２２のピン２５に位置している。
【００４４】
つぎに、図３（ｂ）および図４に示すように、接続状態の引出形遮断器１０が収容室２から引き出されると、シャッタ２２は、自重で下降して下側の閉塞位置Ａに位置し、固定側接触子６，…と引出形遮断器１０との間が閉塞される。この際、シャッタ２２の下降に伴って、ピン２５が長孔４０ａの終端部Ｓ２から解除位置としての始端部Ｓ１に移動する。この場合も、受板３１には、何ら荷重はかかっておらず、弾性部材５０によって弾性付勢されて水平位置（スタンバイ位置）に保持されている状態に変化はない。
【００４５】
この状態において、作業者が収容室２内部に入った場合、図５に示すように、作業者の荷重が受板３１にかかって、受板３１の後側端部３１ｂが、前側端部３１ａを回動支点Ｐ０として下側に向かって回動する一方、受板３１にかかる荷重が、作動レバー３５の連結部３５ａの他側部（受板３１の作用点Ｐ２）に伝達されて、作動レバー３５の連結部３５ａの一側部を回動支点Ｐ１として回動し、作動レバー３５の作用部３５ｂの先端部（作用点Ｐ３）がシャッタ２２から離間する方向に回動する。この際、シャッタ２２は閉塞位置Ａにある。
【００４６】
そして、作動レバー３５の回動に伴って、ロックレバー４０の基端部が作動レバー３５の回動方向に引っ張れて、閉塞位置にあるシャッタ２２のピン２５に、長孔４０ａの内面が摺接しつつ始端部Ｓ１から終端部Ｓ２に移動して係止する（図５参照）。すなわち、作業者の荷重が受板３１に係っている間は、シャッタ２２は閉塞位置Ａにロックされる。つまり、作業者は、閉塞位置Ａにあるシャッタ２２を開操作することができず、固定側接触子６，…に接触することが確実になくなる。
【００４７】
そして、作業者が収容室２から退出すると、受板３１に対する荷重がなくなり、受板３１は、復帰手段（弾性部材）５０により弾性付勢されて押し上げられ、元の水平位置に復帰する。一方、受板３１の復帰により、作動レバー３５およびロックレバー４０も元の直立状態に復帰する（図４参照）。
【００４８】
この際、シャッタ２２のピン２５が、ロックレバー４０の長孔４０ａの始端部Ｓ１に位置するので、シャッタ２２は、上昇移動できる状態にある。したがって、この状態において、引出形遮断器１０を収容室２に収容すると、引出形遮断器１０の押圧部材２１によってシャッタ２２が押し上げられて、閉塞位置Ａから開放位置Ｂに移動し、固定側接触子６，…と引出形遮断器１０との間が開放されて、引出形遮断器１０の可動側接触子１１，…とスイッチギヤ１の固定側接触子６，…とが電気的に接続されることになる（図１参照）。
【００４９】
このように、第１実施形態によれば、引出形遮断器１０が収容室２から引き出された状態において、自重で、固定側接触子６，…と引出形遮断器１０との間を閉塞するシャッタ２２に対して、作業者の荷重を受けてロックするシャッタロック機構３０を備えたので、収容室２に作業者がいる状態においては、作業者によるシャッタ２２の開操作を確実に阻止することができるようになり、安全性を確保できる。
【００５０】
（第２実施形態）
つぎに第２実施形態について図６〜図８を参照して説明する。これらの図において、図１と同一符号は同一もしくは相当するものを示し、異なる点は、シャッタユニット２２０（以下、単にシャッタ２２０という）が弾性部材６０によって閉塞位置Ｂに常時弾性付勢されている点と、受板３１と作動レバー３５との間がリンクアーム４５によって連結されている点と、作動レバー３５が、収容室２の上壁２ｃの後部に配置された軸受け部７０によって回動自在に配置されて、ロックレバー４０の長孔４０ａの始端部Ｓ１と終端部Ｓ２とが、前記第１実施形態の場合とは逆方向に位置している点と、シャッタ機構２０として、新たな昇降アーム２３０が付加された点とである。
【００５１】
シャッタ２２０は、図６に示すように、弾性部材６０によって常時上方向に引っ張られて、閉塞位置Ｂに位置している。すなわち、シャッタ２２０は、固定側接触子６，…と引出形遮断器１０との間を常時閉塞する方向に弾性付勢されている。
【００５２】
シャッタロック機構３０は、図６に示すように、作動レバー３５およびロックレバー４０が鉛直方向に向かって直立状態になるように回動支持されている。また、作動レバー３５の連結部３５ａの一側部が収容室２の上壁２ｃに配置された軸受け部７０に回動支持されるとともに、この回動支点Ｐ１に、つる巻きバネ（復帰手段）が設けられている（図示せず）。そして、作動レバー３５およびロックレバー４０は、つる巻きバネによって、常に直立状態になるように弾性付勢されている。また、受板３１の後側端部（受板３１の作用点Ｐ２０）と作動レバー３５の連結部３５ａの他側部（作動レバー３５の作用点Ｐ２１）とが、リンクアーム４５によって連結されている。
【００５３】
また、図６に示すように、ロックレバー４０の長孔４０ａの始端部Ｓ１と終端部Ｓ２とが、前記第１実施形態の場合とは逆方向に位置する。すなわち、ロック解除位置となる始端部Ｓ１が長孔４０ａの上側に、ロック位置となる終端部Ｓ２が長孔４０ａの下側にある。また、シャッタ２２０を閉塞位置Ａに保持する弾性部材６０によって、長孔４０ａのロック解除位置となる始端部Ｓ１に、シャッタ２２０のピン２５が圧接することで、作動レバー３５およびロックレバー４０が直立状態に維持されるとともに、受板３１が水平位置（スタンバイ位置）に維持される。
【００５４】
昇降アーム２３０は、図６に示すように、基端部２３０ａと、中途部２３０ｂと、先端部２３０ｃとを備えている。基端部２３０ａおよび先端部２３０ｃは、いずれも直線状に形成されている。そして、基端部２３０ａおよび先端部２３０ｃは、基端部２３０ａが下側に位置し、先端部２３０ｃが上側に位置し、かつ、平行する位置関係になっている。また、中途部２３０ｂは、上側の基端部２３０ａと下側の先端部２３０ｃとの間にあって、引出形遮断器１０が固定側接触子６，…に接続された状態にあっては、略直立している。先端部２３０ｃは、シャッタ２２０のピン２５が遊挿される長孔２３０ｄが形成されている。そして、引出形遮断器１０の押圧部材（ローラ）２１が、昇降アーム２３０の基端部２３０ａを押圧することで、シャッタ２２０が開放位置Ｂに位置する。また、引出形遮断器１０の押圧部材（ローラ）２１が、昇降アーム２３０の基端部２３０ａから離脱することで、昇降アーム２３０が下側に回動し、開放位置Ｂのシャッタ２２０が弾性部材６０によって上方に引っ張られて閉塞位置Ａに位置する。
【００５５】
つぎに使用態様について説明する。まず、引出形遮断器１０の可動側接触子１１，…がスイッチギヤ１の固定側接触子６，…に接続されている場合は、図６に示すように、シャッタ２２０は、引出形遮断器１０の押圧部材２１によって弾性部材６０の張力に抗して押し下げられ、下側の開放位置Ｂに位置して、固定側接触子６，…と引出形遮断器１０との間が開放されている。
【００５６】
この際、受板３１には、何ら荷重はかかっておらず、シャッタ２２０の弾性部材６０によって弾性付勢されて水平位置（スタンバイ位置）に保持されている。そして、作動レバー３５およびロックレバー４０が直立状態にあり、ロックレバー４０の長孔４０ａの下側の終端部Ｓ２にシャッタ２２０のピン２５が位置している。
【００５７】
つぎに、図７に示すように、接続状態の引出形遮断器１０が収容室２から引き出されると、引出形遮断器１０の押圧部材２１によるシャッタ２２０の開放状態が解除される。これによって、シャッタ２２０は、弾性部材６０によって上方に引っ張られて、上側の閉塞位置Ａに位置し、固定側接触子６，…と引出形遮断器１０との間が閉塞される。この際、シャッタ２２０の上昇に伴って、シャッタ２２０のピン２５が長孔４０ａの終端部Ｓ２から始端部Ｓ１に移動して係止する。この場合も、受板３１には、何ら荷重はかかっておらず、受板３１は、シャッタ２２０の弾性部材６０によって弾性付勢されて略水平位置（スタンバイ位置）に保持されており、受板３１およびシャッタロック機構３０においては、図６の状態に変化はない。また、シャッタ２２０は、この状態においては移動自在の状態にある。
【００５８】
図７の状態から、作業者が収容室２内部に入った場合、図８に示すように、作業者の荷重が受板３１にかかって、受板３１の後側端部３１ｂが、前側端部３１ａを回動支点Ｐ０として下側に向かって回動する一方、受板３１にかかる荷重が、リンクアーム４５を介して作動レバー３５の連結部３５ａに伝達されて、作動レバー３５の連結部３５ａの他側部を回動支点Ｐ２として、作動レバー３５の作用部３５ｂがシャッタ２２０から離間する方向に回動する。この際、シャッタ２２０は閉塞位置Ａにある。
【００５９】
そして、図８に示すように、作動レバー３５の回動に伴って、ロックレバー４０の基端部が作動レバー３５の回動方向に引っ張れて、閉塞位置Ａにあるシャッタ２２０のピン２５に、長孔４０ａの内面が摺接しつつ始端部Ｓ１から終端部Ｓ２に移動して係止する。すなわち、作業者の荷重が受板３１に係っている間は、シャッタ２２０は閉塞位置Ａにロックされる。つまり、作業者は、閉塞位置Ａにあるシャッタ２２０を開操作することができず、スイッチギヤ１の固定側接触子６，…に接触することが確実になくなる。
【００６０】
そして、作業者が収容室２から退出すると、受板３１に対する荷重がなくなり、受板３１は、シャッタ２２０の弾性部材６０により上方に引っ張られて、元の水平位置に復帰する。一方、受板３１の復帰により、作動レバー３５およびロックレバー４０も元の直立状態に復帰する（図７参照）。
【００６１】
この際、シャッタ２２０のピン２５が、ロックレバー４０の長孔４０ａの始端部Ｓ１に位置するので、シャッタ２２０は、下降移動できる状態にある。したがって、この状態において、引出形遮断器１０を収容室２に収容すると、引出形遮断器１０の押圧部材２１によって、昇降アーム２３０およびシャッタ２２０が、弾性部材６０の張力に抗して押し下げられて、閉塞位置Ａから開放位置Ｂに移動し、固定側接触子６，…と引出形遮断器１０との間が開放されて、引出形遮断器１０の可動側接触子１１，…とスイッチギヤ１の固定側接触子６，…とが電気的に接続されることになる（図６参照）。
【００６２】
このように、第２実施形態によれば、引出形遮断器１０が収容室２から引き出された状態において、弾性部材６０によって上方に引っ張られて、固定側接触子６，…と引出形遮断器１０との間を閉塞するシャッタ２２０を、作業者の荷重を受けて回動する受板３１と、該受板３１の回動に連動する作動レバー３５およびロックレバー４０と、ロック解除位置となる始端部Ｓ１およびロック位置となる終端部Ｓ２を両端部に有するロックレバー４０の長孔４０ａとを備えたので、収容室２に作業者がいる状態においては、作業者によるシャッタ２２０の開操作を確実に阻止することができるようになり、安全性を確保できる。
【００６３】
なお、本発明は、前記実施形態に限定されるものではなく、種々変更することができる。
【００６４】
例えば、前記第１および第２実施形態の場合、引出形電気機器として、引出形遮断器を例にとって説明したが、引出形開閉器、引出形電源ユニットにも適用できる。要は、充電部に対して接離する引出形電気機器と、充電部と引出形電気機器との間を閉塞するシャッタ２２（２２０）とを備えた電気盤１であれば適用できる。
【００６５】
また、前記第１および第２実施形態に示すシャッタロック機構３０の構成は図示に限定されるものではない。要は、引出形遮断器１０が収容室２に対して出し入れされるスタンバイ状態では、シャッタ２２（２２０）に対するロックが解除できるように構成されるとともに、引出形遮断器１０が収容室２から引き出されて、収容室２に入った作業者の荷重を受けるロック状態では、閉塞位置Ａに位置するシャッタ２２（２２０）をロックできるように構成されるものであればよい。
【符号の説明】
【００６６】
１…スイッチギヤ（電気盤）、１ａ…隔壁、２…収容室、２ａ…床面、５…配電室、６…充電部（固定側接触子）、１０…引出形遮断器（引出形電気機器）、１１…可動側接触子、２０…シャッタ機構、２２…シャッタ、２２０…シャッタユニット、３０…シャッタロック機構、３１…受板、３５…作動レバー、４０…ロックレバー、５０…復帰手段
【図１】
2013198363.tif 000003
【図２】
2013198363.tif 000004
【図３】
2013198363.tif 000005
【図４】
2013198363.tif 000006
【図５】
2013198363.tif 000007
【図６】
2013198363.tif 000008
【図７】
2013198363.tif 000009
【図８】
2013198363.tif 000010